(57)【要約】【課題】情報表示装置に表示されている画像を、画像読取装置で読み取ることなく、編集して送信することができるようにするものである。【解決手段】会議支援システムは、会議に用いられる画像データを表示する表示装置２０を備えた情報表示装置２００と、情報表示装置２００と通信接続する情報処理端末１００から構成される。情報処理端末１００は、表示装置２０に現に表示されている画像データについて、入力された当該画像データの編集方法や画像データの送信先、送信方式を含む編集送信指定情報を情報表示装置２００に送信する。情報表示装置２００では、受信した編集送信指定情報に基づいて、現に表示している画像データを指定された方法で編集すると共に、指定された送信先へ指定された送信方式で送信する。【選択図】図２
2009118310.tif 000002
【特許請求の範囲】
【請求項１】
会議に用いられる画像データを表示する表示装置を備えた情報表示装置と、該情報表示装置と通信接続する情報処理端末から構成される会議支援システムであって、
前記情報処理端末は、
前記表示装置に現に表示されている画像データについて、入力された当該画像データの編集方法並びに画像データの送信先及び送信方式のいずれか又はその組み合わせを含む編集送信指定情報を前記情報表示装置に送信し、
前記情報表示装置は、
受信した前記編集送信指定情報に基づいて、前記現に表示している画像データを指定された方法で編集すると共に、指定された送信先へ指定された送信方式で送信することを特徴とする会議支援システム。
【請求項２】
前記編集送信指定情報には、前記表示されている画像の中の送信すべき領域の情報が含まれ、前記情報表示装置は、前記領域の情報に基づいて、前記表示している画像データから送信する画像データを抽出することを特徴とする請求項１に記載の会議支援システム。
【請求項３】
前記編集送信指定情報に基づく送信に、前記情報処理端末への送信が含まれることを特徴とする請求項１または２に記載の会議支援システム。
【請求項４】
前記情報表示装置は、前記送信方式の情報に基づく送信機能を有さない場合、送信方式が指定されていた当該画像データを前記情報処理端末へ返信することを特徴とする請求項１〜３のいずれかに記載の会議支援システム。
【請求項５】
前記編集送信指定情報にユーザ識別情報を含み、前記情報表示装置は、前記ユーザ識別情報に基づき、ユーザ認証を行うことを特徴とする請求項１〜４のいずれかに記載の会議支援システム。
【請求項６】
会議に用いられる画像データを表示する表示装置を備えた情報表示装置であって、前記表示装置に現に表示されている画像データについて、当該画像データの編集方法並びに画像データの送信先及び送信方式のいずれか又はその組み合わせを含む編集送信指定情報を前記情報表示装置と通信可能に接続された情報処理端末から受信し、受信した前記編集送信指定情報に基づいて、前記現に表示している画像データを指定された方法で編集すると共に、指定された送信先へ指定された送信方式で送信することを特徴とする情報表示装置。
【請求項７】
情報表示装置の表示装置に会議に用いる画像データを表示し、前記情報表示装置と通信接続する情報処理端末から、前記表示装置に表示されている画像データについて、当該画像データの編集方法並びに画像データの送信先及び送信方式のいずれかまたはその組み合わせを含む編集送信指定情報を受信し、受信した前記編集送信指定情報に基づいて、前記現に表示している画像データを指定された方法で編集し、指定された送信先へ指定された送信方式で送信することを特徴とする会議に用いた画像データの送信方法。
【請求項８】
コンピュータに、請求項６に記載の情報表示装置の機能を実現させるプログラム。
【請求項９】
コンピュータが読み取り可能な記録媒体であって、請求項８に記載のプログラムを記録したことを特徴とする記録媒体。
【発明の詳細な説明】
【技術分野】
【０００１】
本発明は、情報処理端末からの指示に基づいて情報表示装置に表示されている情報を送信する会議支援システム、情報表示装置、送信方法、プログラム及び記録媒体に関するものである。
【背景技術】
【０００２】
現在、会議室に設置され、ボード上に記載された議事内容を印刷することができるホワイトボードが一般的に広まっている。また、大型液晶ディスプレイ等の大型表示装置の普及に伴い、会議室に大型表示装置を設置して、画面上に会議資料等を表示したり、その表示手段の前側にタッチパネルを設けて、ユーザによりタッチパネルに手書きされた内容の情報を画面上に表示したりする会議システムが提案されている。このように上記ホワイトボードや大型表示装置を用いて会議を行う場合、ボードや画面上に表示（記載）された会議資料や議事録を送付する際は、従来、ホワイトボードや大型表示装置から会議資料等を印刷し、印刷した紙をコピーして出席者にＦＡＸ送信により配布したり、また、特許文献１に開示のように、あらかじめ会議出席者を登録しておき、印刷した会議資料をスキャンし、スキャンした際に自動的に、登録されている出席者にスキャンした画像をメールで送信したりしていた。
【特許文献１】特開２００６−１８０２７６号公報
【発明の開示】
【発明が解決しようとする課題】
【０００３】
しかし、上述のように特許文献１に開示の技術等を用いる方法では、表示されている会議資料や議事録であって送信するものを印刷等して用意し、用意したものをスキャナ等の画像読取装置で読み取る作業をユーザが行う必要があった。また、表示されている会議資料や議事録の一部のみを送信したい場合等、表示されている画像を編集して送信したい場合、ユーザが必要な部分を手作業で切り出したりする必要があった。
【０００４】
本発明は、上述のような実情に鑑みてなされたものであり、情報表示装置に表示されている画像を、画像読取装置で読み取ることなく、編集して送信することができるようにするものである。
【課題を解決するための手段】
【０００５】
上記課題を解決するために、本発明の第１の技術手段は、会議に用いられる画像データを表示する表示装置を備えた情報表示装置と、該情報表示装置と通信接続する情報処理端末から構成される会議支援システムであって、前記情報処理端末が、前記表示装置に現に表示されている画像データについて、入力された当該画像データの編集方法並びに画像データの送信先及び送信方式のいずれか又はその組み合わせを含む編集送信指定情報を前記情報表示装置に送信し、前記情報表示装置が、受信した前記編集送信指定情報に基づいて、前記現に表示している画像データを指定された方法で編集すると共に、指定された送信先へ指定された送信方式で送信することを特徴としたものである。
【０００６】
第２の技術手段は、第１の技術手段において、前記編集送信指定情報の中の送信すべき領域の情報が含まれ、前記情報表示装置が、該領域の情報に基づいて、前記表示している画像データから送信する画像データを抽出することを特徴としたものである。
【０００７】
第３の技術手段は、第１又は第２のいずれか１の技術手段において、前記編集送信指定情報に基づく送信に、前記情報処理端末への送信が含まれることを特徴としたものである。
【０００８】
第４の技術手段は、第１乃至第３のいずれか１の技術手段において、前記情報表示装置が、前記送信方式の情報に基づく送信機能を有さない場合、送信方式が指定されていた当該画像データを前記情報処理端末へ返信することを特徴としたものである。
【０００９】
第５の技術手段は、第１乃至第４のいずれか１の技術手段において、前記編集送信指定情報にユーザ識別情報を含み、前記情報表示装置が、前記ユーザ識別情報に基づき、ユーザ認証を行うことを特徴としたものである。
【００１０】
第６の技術手段は、会議に用いられる画像データを表示する表示装置を備えた情報表示装置であって、会議に用いられる画像データを表示する表示装置を備えた情報表示装置であって、前記表示装置に現に表示されている画像データについて、当該画像データの編集方法並びに画像データの送信先及び送信方式のいずれか又はその組み合わせを含む編集送信指定情報を前記情報表示装置と通信可能に接続された情報処理端末から受信し、受信した前記編集送信指定情報に基づいて、前記現に表示している画像データを指定された方法で編集すると共に、指定された送信先へ指定された送信方式で送信することを特徴としたものである。
【００１１】
第７の技術手段は、会議に用いた画像データの送信方法であって、情報表示装置の表示装置に会議に用いる画像データを表示し、前記情報表示装置と通信接続する情報処理端末から、前記表示装置に表示されている画像データについて、当該画像データの編集方法並びに画像データの送信先及び送信方式のいずれかまたはその組み合わせを含む編集送信指定情報を受信し、受信した前記編集送信指定情報に基づいて、前記現に表示している画像データを指定された方法で編集し、指定された送信先へ指定された送信方式で送信することを特徴としたものである。
【００１２】
第８の技術手段は、コンピュータに、第６の技術手段の情報表示装置の機能を実現させるプログラムとすることを特徴としたものである。
【００１３】
第９の技術手段は、コンピュータが読み取り可能な記録媒体であって、請求項８に記載のプログラムを記録したことを特徴としたものである。
【発明の効果】
【００１４】
本発明によれば、ユーザが送付する会議資料や議事録を用意して画像読取装置で読み取る作業を行うことなく、会議資料や議事録を編集して関係者に送信することができる。
【発明を実施するための最良の形態】
【００１５】
図１は、本発明による会議支援システムのシステム構成例を示す図であり、図２は、本発明による会議支援システムを形成する各装置の構成例を示すブロック図である。会議支援システム１は、情報処理端末１００と、大型表示装置からなる画像表示装置（情報表示装置）２００とを含み、画像表示装置２００に会議出席者の入力に応じた画像を表示することにより、会議が円滑に進行するよう支援するものである。情報処理端末１００と画像表示装置２００は、本例では、赤外線等の無線通信で通信可能になっているが、通信形態は上記に限られるものではなく、ローカルエリアネットワーク（ＬＡＮ：Local Area Network）等で相互に接続して通信できてもよい。
【００１６】
情報処理端末１００は、画像表示装置２００に表示されている画像の編集方法や編集した画像の送信先等をユーザが指定するためのものである。本明細書では、パーソナルコンピュータ（ＰＣ：Personal Computer）から成るものとするが、その他、携帯電話、ＰＤＡ（Personal Digital Assistant）等の持ち運び可能な装置であってもよい。情報処理端末１００は、ユーザインタフェース（Ｉ／Ｆ）１１と制御部１２と通信部１３とを備える。
【００１７】
ユーザＩ／Ｆ１１は、ユーザからの操作を受け付けるためのものであり、操作のために必要な情報を表示する液晶パネル等の表示手段と、使用者の操作により制御命令などの情報が入力されるマウスなどのポインティングデバイスやキーボード等の入力手段とからなる。ユーザは、画像表示装置２００に表示されている画面のうち特定の領域の画像を特定の宛て先に送信したい場合、ユーザＩ／Ｆ１１を介して、上記領域の指定や宛て先の指定を行うことができる。その他に、このユーザＩ／Ｆ１１を介して、送信方式（送信方法）等を指定することができる。
【００１８】
制御部１２は、図示しない記憶部に記憶された制御プログラムや各種アプリケーションプログラムを実行することによって、情報処理端末１００全体を制御するものであり、演算を行うＣＰＵ及び演算に伴う一時的な情報を記憶するＲＡＭ等からなる。また、この制御部１２は、画像送信情報指定部１２ａを有する。
画像送信情報指定部１２ａは、画像送信情報（編集送信指定情報）の指定を受け付けるものである。ここで、画像送信情報とは、画像表示装置２００に表示されている画像を送信するための情報をいう。画像送信情報には、編集のために必要な画像編集情報と、送信のために必要な送信情報が含まれ、画像編集情報には、送信する画像の領域及び画像形式に関する情報が含まれ、送信情報には、送信する宛て先及び送信方法に関する情報が含まれる。
画像送信情報指定部１２ａは、例えば、画像送信情報を指定するための画像送信情報指定ウィンドウをユーザＩ／Ｆ１１の表示手段に表示させて、ユーザに画像送信情報を指定させる。画像送信情報指定ウィンドウの例は、後述する。
【００１９】
通信部１３は、画像表示装置２００と無線通信可能に接続するためのものである。情報処理端末１００は、この通信部１３を介して、画像送信情報指定部１２ａが受け付けた画像送信情報を画像表示装置２００へ送信する。画像送信情報の例は、後述する。
この画像送信情報に基づいて、画像表示装置２００は、表示している画像を編集し、ユーザが指定している宛て先へ送信する。
【００２０】
続いて、画像表示装置２００について説明する。
画像表示装置２００は、図１及び図２の例では、表示装置２０と、情報処理装置３０とを備える。これらは、例えば、ＵＳＢ  Ｉ／Ｆで相互に接続されている。
画像表示装置２００は、本発明の特徴に関わる機能として、表示装置２０に表示している情報（画像）を、画像表示装置２００と通信可能に接続された情報処理端末１００からのユーザの指示に基づいて（具体的には、ユーザにより指定された画像送信情報に基づいて）、指定された方法で編集し、指定された宛て先へ指定された送信方法で送信する機能を有する。また、その基本的な機能として、ユーザからの入力等に応じて情報を表示装置２０に表示する情報表示機能を有する。
【００２１】
まず、画像表示装置２００の基本的な構成を説明しながら、画像表示装置２００における上記基本的な機能の達成方法について説明し、上記本発明の特徴に関わる機能の達成方法については、その後に説明する。
画像表示装置２００を構成する表示装置２０は、画像表示部２１と、タッチセンサ２２とを備える。画像表示部２１は、大型表示画面を有する液晶ディスプレイ等からなり、タッチセンサ２２は、画像表示部２１の表示画面上に設けられ、例えば、感圧の変化により、利用者等による接触位置等を検出して情報処理装置３０へ送る。
【００２２】
また、画像表示装置２００の情報処理装置３０は、制御部３１と、記憶部３２と、通信部３３と、を備える。
制御部３１は、情報処理装置３０の全体を制御するものであり、タッチセンサ２２から送られてきた接触位置情報等を受け取り、接触位置に描画するような表示画像を生成することができる。また、制御部３１は、生成した上記表示画像を画像表示部２１へ送るので、その結果、画像表示部２１には描画結果に応じた情報が表示される。つまり、議事録等を記録するようにユーザが描画操作を行っていたならば、画像表示部２１にその議事録が表示される。
また、制御部３１は、原稿読取装置と通信部３３を介して通信可能に接続された構成であってもよい。この場合、制御部３１は、原稿読取装置で読み取った原稿画像を受け取り、それに基づいた表示画像を生成することができ、したがって、画像表示装置２００は、スキャナからの入力に応じた情報を表示装置２０に表示することができる。
なお、制御部３１は、画像表示部２１へ送る表示画像を、各種データを記憶する記憶部３２に書き出している。記憶部３２に記憶されるこのデータは、後述するように、上記本発明の特徴に関わる機能のために用いられる。
【００２３】
なお、上述のような制御を司る制御部３１は、例えば、ＣＰＵ（Central Processing Unit）などで構成され、記憶部３２に記憶された制御プログラムや各種アプリケーションプログラムを実行することによって、上述のように、情報処理装置３０の全体を制御している。また、上記制御プログラムを記憶する記憶部３２は、例えば、ＲＡＭ（Random Access Memory）やＲＯＭ（Read Only Memory）、ＨＤＤ（Hard Disk Drive）等で構成され、その他に、各種アプリケーションプログラム、これらのプログラムによって使用されるデータを格納したり、これらのプログラムの実行途中で一時的に発生するデータを格納するバッファとしても使用する。そして、通信部３３は、情報処理端末１００等と無線ＬＡＮ等のネットワークを介して通信可能に接続するためのものである。
【００２４】
また、情報処理装置３０自体は、ＰＣ等を別の表示装置に接続したものであってもよく、また、表示装置２０に内蔵した制御回路等によって実現するものであってもよく、また、表示装置２０とその外部装置とに機能を分散したものであってもよい。
【００２５】
次に、画像表示装置２００における上記本発明の特徴に関わる機能について説明する。上記機能を達成するために、画像表示装置２００は、情報処理装置３０の制御部３１に、送信画像取得部３１ａ、画像変換部３１ｂ及び画像送信部３１ｃを有し、記憶部３２に送信画像記憶部３２ａを有する。
表示装置２０に表示されている画像を編集して特定の宛て先に送信するよう、ユーザが情報処理端末１００を介して指示した場合は、情報処理端末１００から画像送信情報が画像表示装置２００に対して送信される。
【００２６】
送信画像取得部３１ａは、受信した画像送信情報を元に、表示装置２０に表示している画像から送信する画像（送信画像）を取得する。すなわち、送信画像取得部３１ａは、画像送信情報に含まれる、送信する画像の領域に関する情報に基づいて、記憶部３２に記憶されている現在の表示画面の画像から、ユーザにより指定された領域の画像を抽出し取得する。
このようにすることで、ユーザが画像表示装置を直接操作することなく、表示している画面のうち、必要な部分の画像のみの送信を行うことができる。
また、送信画像取得部３１ａは、抽出した送信画像を送信画像記憶部３２ａに記憶させる。
【００２７】
画像変換部３１ｂは、通信部３３で受信した画像送信情報を元に、送信画像記憶部３２ａが記憶している送信画像を変換する。すなわち、画像変換部３１ｂは、画像送信情報に含まれる、画像形式に関する情報に基づいて、ユーザにより指定された画像形式で、送信画像記憶部３２ａに記憶されている送信画像を変換する。画像変換部３１ｂは、変換した送信画像を送信画像記憶部３２ａに記憶させる。
画像送信部３１ｃは、通信部３３で受信した送信情報を元に、画像変換部３１ｂで変換した画像を送信するよう、図示しない宛て先の装置との通信手段（ＦＡＸ通信手段や外部への通信手段）等を制御する。すなわち、画像送信部３１ｃは、画像送信情報に含まれる、送信する宛て先及び送信方法に関する情報に基づいて、指定の宛て先へユーザにより指定された方法で、送信画像記憶部３２ａに記憶の変更した送信画像を送信するよう、図示しない宛て先の装置との通信手段等を制御する。このとき、Ｅ−ｍａｉｌ送信やＦＡＸ送信等の特定の送信方法が画像表示装置に指定されていた場合、指定された送信方法に適合した形式に、送信画像記憶部３２ａに記憶の変更した送信画像を変換して、送信する。例えば、Ｅ−ｍａｉｌ送信を指示された場合は、メールに画像を添付したデータを作成し、また、ファックス送信を指示された場合は、モノクロＴＩＦＦデータを作成し、作成したデータを指定の宛て先へ指定の送信方法で送信する。
【００２８】
以上のようにして、画像表示装置２００は、画像送信情報に基づいて、表示している画像を指定の方法で編集し、指定の宛て先へ指定の送信方法で送信する。
【００２９】
会議支援システム１において、画像表示装置２００にユーザ認証手段を設けておいてもよい。この場合、情報処理端末１００がユーザに、ユーザ認証用の情報（ユーザＩＤやパスワード）を上位画像送信情報として指定させるようにし、画像表示装置２００では、受信したユーザ認証表情報に基づいて、ユーザ認証手段でユーザ認証を行えばよい。
また、この場合において、ユーザ認証の結果、認証することができないときは（例えば、画像送信情報に含まれるユーザ認証用の情報が、画像表示装置２００が記憶しているユーザ認証用の情報と比較して、合致しないときは）、画像表示装置２００は、図６の画面Ｄのような、画像送信が許可されていない旨を表示する画面を表示し、指定された画像の送信を行わないようにしてもよい。
また、画像表示装置２００にユーザ認証手段を設けていた場合であって、ユーザ認証の結果、認証することができないときに、画像表示装置２００がユーザ認証ができない旨等を情報処理端末１００に送信し、その旨を受信した情報処理端末１００で、図６の画面Ｄのような画面を表示するようにしてもよい。
このように、許可されたユーザのみが画像表示装置から送信画像を送信可能とすることにより、セキュリティを向上させることができる。
【００３０】
また、会議支援システム１において、ユーザが指定の送信方法で送信を行うための機能を画像表示装置２００が有しているかを判定する判定手段を画像表示装置２００に設けておくことも好適である。この場合、上記判定手段における判定の結果、指定の送信機能を持たない場合は、図７の画面Ｅのような、指定の送信機能を持たず、送信できない旨、及び、ユーザが指定した画像を情報処理端末１００に返信する旨を示す画面を画像表示装置２００に表示するようにしてもよい。
【００３１】
また、上述のように、画像表示装置２００に上記手段を設けていた場合であって、判定の結果、ユーザ指定の送信機能を画像表示装置２００が有していない場合は、画像表示装置２００が、その旨、及び、ユーザ指定の画像（送信画像）を情報処理端末１００に返信する旨等を、情報処理端末１００に送信し、その旨を受信した情報処理端末１００で、図７の画面Ｅのような画面を表示するようにしてもよい。
【００３２】
会議支援システム１においては、このように送信画像の情報処理端末１００への返信を希望するか判断を促し、ユーザの希望に応じて、画像表示装置２００から情報処理端末１００に送信画像を送信するようにしている。これにより、画像表示装置２００で処理できない送信方法を指定された場合に、情報処理端末１００で画像表示装置２００から送信画像（変換した送信画像）を受信し、情報処理端末１００または指定された機能を有する装置から送信する（させる）ことができる。
【００３３】
続いて、情報処理端末１００の画像送信情報指定部１２ａがユーザに画像送信情報を指定させるために用いる画像送信情報指定ウィンドウの例と、画像送信情報の例とについて、図３及び図４を用いて説明する。
図３は、画像送信情報指定ウィンドウ（以下、ウィンドウと省略）のいくつかの例を示す図であり、図４は、図３の各例のウィンドウに対応した画像送信情報の例を示す図である。
【００３４】
図３（Ａ）のウィンドウＡは、送信を希望する、画像の画像表示装置２００上での画面の領域（「領域」）と、送信する画像のカラーモードや画像フォーマットや解像度といった画像形式（「カラーモード」、「画像フォーマット」、「解像度」）と、「宛て先」と、「送信方法」を指定させるものである。また、ウィンドウＡは、画像表示装置２００に表示されている画像の絶対値であるピクセル数で、送信画像の領域を指定させる。
ユーザは、「カラーモード」として、例えば、白黒モードやカラーモード等の色変換方式を指定でき、「画像フォーマット」として、例えば、ＴＩＦ（Tagged Image File Format）形式、ＪＰＥＧ（Joint Photographic Experts Group）形式、ＢＭＰ（Bitmap）形式等のファイル形式を指定でき、「解像度」として、２００ｄｐｉ等の具体的な解像度を指定でき、「送信方式」として、ＦＡＸ送信やＥ−ｍａｉｌ送信等の送信形態を指定でき、ＦＡＸ送信を指定する際は、「宛て先」としてＦＡＸ番号等のＦＡＸ送信先を指定でき、Ｅ−ｍａｉｌ送信を指定する際は、「宛て先」としてＥ−ｍａｉｌアドレス等のＥ−ｍａｉｌ送信先を指定できる。
【００３５】
図３のウィンドウＡのＯＫボタンＡ１にユーザによりクリック操作等がなされると、情報処理端末１００は、ユーザによる画像送信情報の指定として受け付け、ウィンドウＡに表示している内容の画像送信情報を画像表示装置２００に送信する。図３（Ａ）の例では、図４（Ａ）に示すような画像送信情報を送信する。つまり、「（１０００，０）」を“始点”とし「（２０００，２０００）」を“終点”とする「領域」が指定されると共に、画像形式に「白黒，ＴＩＦ，２００ｄｐｉ」が、宛先に「０６−○○○○−××××」が、送信方法に「ＦＡＸ」が指定されている画像送信情報を送信する。
【００３６】
図３（Ｂ）のウィンドウＢは、図３（Ａ）のウィンドウと同じ内容を指定させるとともに、ユーザ認証用の情報（「ユーザ名」、「パスワード」）を指定させるものである。
ユーザは、「ユーザ名」として、ユーザ名等のユーザ識別情報を指定でき、「パスワード」として、パスワード等のユーザ認証情報を指定できる。
また、ウィンドウＢは、ウィンドウＡが送信画像の領域を絶対値であるピクセル数で指定させるものであったのに対し、相対値で送信画像領域をさせるものである。ウィンドウＢは、具体的には、現在の表示画像の分割方法（この例では、矩形で等分割させる）と、送信画像の矩形の位置とを指定させることで、送信画像の領域を指定させる。
【００３７】
ウィンドウＢのＯＫボタンＢ１にユーザによりクリック操作等がなされると、情報処理端末１００は、ユーザによる画像送信情報の指定として受け付け、ウィンドウＢに表示している内容の画像送信情報を画像表示装置２００に送信する。図３（Ｂ）の例では、図４（Ｂ）に示すような画像送信情報を送信する。つまり、画面を「２×２」に分割した際の「１行目、１列目」の画面が「領域」として指定されると共に、画像形式に「カラー，ＪＰＥＧ，６００ｄｐｉ」が、宛先に「ｘｘｘ＠ｙｙｙ．ｃｏ．ｊｐ」が、送信方法に「Ｅ−ｍａｉｌ」、ユーザ情報に「ａａａａａ（ユーザ名），ｂｂｂｂｂ（パスワード）」が指定されている画像送信情報を送信する。
【００３８】
図３（Ｃ）のウィンドウＣは、図３（Ａ）のウィンドウＡと同じ内容を指定させるもので、図３（Ｂ）のウィンドウＢと同様に、相対値で送信画像領域をさせるものである。図３（Ｃ）は、「送信方法」として、ＦＡＸ送信及びＥ−ｍａｉｌ送信以外のものを指定できることを示しており、例えば、図の「返信」ように、送信画像データを情報処理端末１００に返信するよう指定することもできる。この際、ユーザは宛て先を指定する必要はない。
【００３９】
ウィンドウＣのＯＫボタンＣ１にユーザによりクリック操作等がなされると、情報処理端末１００は、ユーザによる画像送信情報の指定として受け付け、ウィンドウＣに表示している内容の画像送信情報を画像表示装置２００に送信する。つまり、画面を「３×３」に分割した際の「２行目、２列目」の画面が「領域」として指定されると共に、画像形式に「カラー，ＢＭＰ，６００ｄｐｉ」が指定され、宛先は指定されず、送信方法に「返信」が指定されている画像送信情報を送信する。
【００４０】
次に、図４に示すような画像送信情報を受信した後の画像表示装置２００の動作について、図５を用いて説明する。
画像表示装置２００が、例えば、現在、図５（Ａ）に示すような画像Ｄを表示しているとする。送信画像取得部３１ａは、受信した画像送信情報に基づいて、表示装置２０が現在表示している画像Ｄから送信画像を取得するが、例えば、図４（Ａ）の画像送信情報を受信した場合、図５（Ｂ）に示すように、現在表示している画像の横座標１０００、縦座標０の点を左上、横座標２０００、縦座標２０００の点を右下とした矩形を抽出する。また、図４（Ｂ）のような画像送信情報の場合、現在表示している画像を縦２、横２の４分割した左上の矩形を抽出する（図５（Ｃ））。図４（Ｃ）のような画像送信情報の場合、現在表示している画像を縦３、横３の９分割した真ん中の矩形を抽出する（図５（Ｄ））。
【００４１】
画像変換部３１ｂは、上述のように、画像送信情報に基づいて、送信画像取得部３１ａが抽出し送信画像記憶部３２ａに記憶させた送信画像を変換するが、例えば、図４（Ａ）の画像送信情報のように、画像形式に「白黒、ＴＩＦ（ＴＩＦＦ）、２００ｄｐｉ」が指定されている場合、抽出（取得）した送信画像から解像度が２００ｄｐｉの白黒のＴＩＦＦファイルに変換を行う。また、図４（Ｂ）の画像送信情報のように、画像形式に「カラー、ＪＰＧ、６００ｄｐｉ」が指定されている場合、取得した送信画像から解像度が６００ｄｐｉのカラーのＪＰＥＧファイルに変換を行う。また、図４（Ｃ）の画像送信情報のように、画像形式に「カラー、ＢＭＰ、６００ｄｐｉ」が指定されている場合、取得した送信画像から解像度が６００ｄｐｉのカラーのＢＭＰファイルに変換を行う。
【００４２】
画像送信部３１ｃは、上述のように、画像送信情報に基づいて、画像変換部３１ｂが変換した画像を送信するが、例えば、図４（Ａ）の画像送信情報のように、宛先に「０６−○○○○−××××」、送信方法に「ＦＡＸ」が指定されている場合、画像変換部３１ｂで変換した白黒ＴＩＦＦファイル（解像度２００ｄｐｉ）を「０６−○○○○−××××」にＦＡＸ送信する。また、図４（Ｂ）のように、宛先に「ｘｘｘ＠ｙｙｙ．ｃｏ．ｊｐ」、送信方法に「Ｅ−ｍａｉｌ」が指定されている場合、画像変換部３１ｂで変換したカラーＪＰＥＧファイル（解像度６００ｄｐｉ）を添付したメールを「ｘｘｘ＠ｙｙｙ．ｃｏ．ｊｐ」へ送信する。図４（Ｃ）の画像送信情報のように、送信方法に「返信」が指定されている場合、送信指定された情報処理端末１００に対して画像変換部３１ｂで変換したカラーＢＭＰファイル（解像度６００ｄｐｉ）を送信する。
【００４３】
続いて、本発明の会議支援システムを構成する画像表示装置の画像取得処理、画像変換処理、画像送信処理について説明する。
【００４４】
図８は、画像表示装置２００における画像取得処理の一例を示すフローチャートである。
情報処理端末１００から画像送信情報を取得した場合、図８に示すように、画像表示装置２００の制御部３１の送信画像取得部３１ａは、まず、現在表示している画像を記憶部３２から取得すると共に、送信を望む画像の領域が相対値で指定されているか否か（すなわち、画面全体を分割して指定しているか否か）を判断する（ステップＳ１０）。相対値で指定されていた場合（ＹＥＳの場合）、画面全体（すなわち取得した現在表示している画像）を指定された数に分割し（ステップＳ１１）、指定された行・列に基づいて送信画像を取得する（ステップＳ１２）。そして、ステップＳ１４へ移行する。
【００４５】
一方、ステップＳ１０において、領域が相対値で指定されていなかった場合（ＮＯの場合）、つまり、領域が絶対値で指定されていた場合（始点と終点の座標がピクセル数で指定されていた場合）、指定された座標に基づいて送信画像を取得し（ステップＳ１３）、ステップＳ１４に移行する。なお、送信画像取得部３１ａは、予めユーザ等により定められた解像度・カラーモード・圧縮形式で送信画像を抽出・取得する。
そして、ステップＳ１４では、取得した送信画像を送信画像記憶部３２ａに記憶させる。
【００４６】
図９は、画像表示装置２００における画像変換処理の一例を示すフローチャートである。
例えば、送信画像取得部３１ａでの送信画像取得処理が終了した場合、画像変換部３１ｂは、送信画像記憶部３２ａから画像データ（送信画像）を取得する（ステップＳ２０）。そして、取得した画像のカラーモードが、情報処理端末１００から受信した画像送信情報に指定のカラーモードと一致するか判断し（ステップＳ２１）、一致する場合（ＹＥＳの場合）は、ステップＳ２３へ移行する。一方、一致しない場合（ＮＯの場合）は、一致するようにカラー変換処理を行う（ステップＳ２２）。例えば、送信画像のカラーモードが「カラー」で、受信した画像送信情報に指定のカラーモードが「白黒」の場合、カラーから白黒に変換するように画像の２値化処理を行う。そして、ステップＳ２３へ移行する。
【００４７】
ステップＳ２３では、送信画像の解像度が、受信した画像送信情報に指定の解像度と一致するか判断する。一致する場合（ＹＥＳの場合）は、そのままステップＳ２５へ移行するが、一致しない場合（ＮＯの場合）は、解像度が一致するように解像度変換を行い（ステップＳ２４）、その後にステップＳ２５へ移行する。
【００４８】
ステップＳ２５では、送信画像のファイル形式が、受信した画像送信情報に指定のファイル形式と一致するか判断し、一致する場合（ＹＥＳの場合）は、そのままステップＳ２７へ移行する。一方、一致しない場合（ＮＯの場合）は、ファイル形式が一致するように変換を行う（ステップＳ２６）。例えば、送信画像のファイル形式がＢＭＰで、受信した画像送信情報に指定の画像形式が「ＪＰＥＧ」の場合、ＢＭＰからＪＰＥＧ圧縮処理を行って、ＪＰＥＧファイルを作成する。そして、ステップＳ２７へ移行する。
ステップＳ２７では、作成（変換）した送信画像を送信画像記憶部３２ａへ記憶させる。
【００４９】
図１０は、画像表示装置２００における画像送信処理の一例を示すフローチャートである。
例えば、画像変換部３１ｂでの画像変換処理が終了した場合、受信した画像送信情報に指定の送信方法がＦＡＸ送信であったとき、図１０に示すように、画像送信部３１ｃは、送信画像記憶部３２ａから変換した送信画像を取得し（ステップＳ３０）、画像表示装置２００がＦＡＸ送信機能を持つかどうか判断する（ステップＳ３１）。ＦＡＸ送信機能を持つ場合（ＹＥＳの場合）、受信した画像送信情報に指定の宛て先にダイヤルを開始し（ステップＳ３２）、変換した送信画像を送信する（ステップＳ３３）。そして、ステップＳ３６へ移行する。
ステップＳ３１において、ＦＡＸ送信機能を持たない場合（ＮＯの場合）、図７に示すような、指定の送信機能を持たないため、変換した送信画像を情報処理端末１００に返信する旨のメッセージを表示し（ステップＳ３４）、変換した送信画像を情報処理端末１００へ送信する（ステップＳ３５）。そして、ステップＳ３６へ移行する。
この処理は、ステップＳ３６で、送信画像記憶部３２ａに記憶されている変換した送信画像を削除し、終了する。
【００５０】
図１１は、画像表示装置２００における画像送信処理の他の例を示すフローチャートである。
例えば、画像変換部３１ｂでの画像変換処理が終了した場合、受信した画像送信情報に指定の送信方法がＥ−ｍａｉｌ送信であったとき、図１１に示すように、画像送信部３１ｃは、送信画像記憶部３２ａから変換した送信画像を取得し（ステップＳ４０）、画像表示装置２００がＥ−ｍａｉｌ送信機能を持つかどうか判断する（ステップＳ４１）。Ｅ−ｍａｉｌ送信機能を持つ場合（ＹＥＳの場合）、変換した画像データ添付して、指定された宛て先に送信するメールデータを作成し（ステップＳ４２）、メールを送信する（ステップＳ４３）。そして、ステップＳ４６へ移行する。
ステップＳ４１において、ＦＡＸ送信機能を持たない場合（ＮＯの場合）、図７に示すようなメッセージを表示し（ステップＳ４４）、変換した送信画像を情報処理端末１００へ送信する（ステップＳ４５）。そして、ステップＳ４６へ移行する。
この処理は、ステップＳ４６で、送信画像記憶部３２ａに記憶されている変換した送信画像を削除し、終了する。
【００５１】
図１２は、画像表示装置２００における画像送信処理のさらに別の例を示すフローチャートである。
例えば、画像変換部３１ｂでの画像変換処理が終了した場合、受信した画像送信情報に指定の送信方法が「返信」であったとき、図１２に示すように、画像送信部３１ｃは、送信画像記憶部３２ａから変換した送信画像を取得し（ステップＳ５０）、取得した、変換した送信画像を情報処理端末１００へ送信する（ステップＳ５１）。そして、送信画像記憶部３２ａに記憶されている変換した送信画像を削除し（ステップＳ５２）、この処理を終了する。
【００５２】
なお、本発明に係る送信方法は、コンピュータに実行させるためのプログラムを記録したコンピュータ読み取り可能な記録媒体に記録するものとすることもできる。この結果、映像呈示方法を実現するプログラムを記録した記録媒体を持ち運び自在に提供することができる。
【００５３】
なお、本実施の形態では、この記録媒体としては、マイクロコンピュータで処理が行われるために図示していないメモリ、例えば、ＲＯＭ（Read Only Memory）のようなものそのものがプログラムメディアであってもよいし、また、図示していないが外部記憶装置としてプログラム読み取り装置が設けられ、そこに記録媒体を挿入することで読み取り可能なプログラムメディアであってもよい。
【００５４】
いずれの場合においても、格納されているプログラムはマイクロプロセッサがアクセスして実行させる構成であってもよいし、あるいは、いずれの場合もプログラムを読み出し、読み出されたプログラムは、マイクロコンピュータの図示されていないプログラム記憶エリアにダウンロードされて、そのプログラムが実行される方式であってもよい。このダウンロード用のプログラムは予め本体装置に格納されているものとする。
【００５５】
ここで、上記プログラム メディアは、本体と分離可能に構成される記録媒体であり、磁気テープやカセットテープ等のテープ系、フロッピー（登録商標）ディスクやハードディスク等の磁気ディスクやＣＤ−ＲＯＭ、ＭＯ、ＭＤ、ＤＶＤ等の光ディスクのディスク系ＩＣカード（メモリカードを含む）、光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する媒体であってもよい。
【図面の簡単な説明】
【００５６】
【図１】本発明による会議支援システムのシステム構成例を示す図である。
【図２】本発明による会議支援システムを形成する各装置の構成例を示すブロック図である。
【図３】画像送信情報指定ウィンドウ（以下、ウィンドウと省略）のいくつかの例を示す図である。
【図４】図３の各例のウィンドウに対応した画像送信情報の例を示す図である。
【図５】画像送信情報を受信した後の画像表示装置の動作について説明するための図である。
【図６】画像送信情報に基づいてユーザ認証を行った結果、認証できなかった場合に表示される画面の一例である。
【図７】画像送信情報に指定の送信機能を画像表示装置が持たない場合に表示される画面の一例である。
【図８】画像表示装置における画像取得処理の一例を示すフローチャートである。
【図９】画像表示装置における画像変換処理の一例を示すフローチャートである。
【図１０】画像表示装置における画像送信処理の一例を示すフローチャートである。
【図１１】画像表示装置における画像送信処理の他の例を示すフローチャートである。
【図１２】画像表示装置における画像送信処理のさらに別の例を示すフローチャートである。
【符号の説明】
【００５７】
１…会議支援システム、１１…ユーザインタフェース（Ｉ／Ｆ）、１２…制御部、１２ａ…画像送信情報指定部、１３…通信部、２０…表示装置、２１…画像表示部、２２…タッチセンサ、３０…情報処理装置、３１…制御部、３１ａ…送信画像取得部、３１ｂ…画像変換部、３１ｃ…画像送信部、３２…記憶部、３２ａ…送信画像記憶部、３３…通信部、１００…情報処理端末、２００…画像表示装置。
【図１】
2009118310.tif 000003
【図２】
2009118310.tif 000004
【図３】
2009118310.tif 000005
【図４】
2009118310.tif 000006
【図５】
2009118310.tif 000007
【図６】
2009118310.tif 000008
【図７】
2009118310.tif 000009
【図８】
2009118310.tif 000010
【図９】
2009118310.tif 000011
【図１０】
2009118310.tif 000012
【図１１】
2009118310.tif 000013
【図１２】
2009118310.tif 000014